(57)【要約】【課題】トレーサビリティシステムを管理する管理者の管理コストや管理負担を増大させることなく商品関連情報を提供し、さらに動的に変化する商品関連情報提供画面に適切な形式で広告を挿入する。【解決手段】商品に付されているトレーサビリティコードを提示した消費者端末３０からの履歴情報の取得依頼に応じて、そのコードを用いて商品の履歴情報を検索し、検索した履歴情報を消費者端末３０に対して提供し、消費者端末３０からの商品関連情報の取得依頼に応じて、提示されたコードが示す商品に関連する商品関連情報の検索依頼を検索処理サーバ２０に対して行い、その検索依頼に応じて検索エンジンを用いて検索された商品関連情報を受信し、掲載する広告の表示形式を決定するとともに、当該広告の内容を選択して、受信した商品関連情報と選択した広告とを表示する表示領域を含む商品関連情報提供画面を作成し、消費者端末３０に対して提供する。【選択図】図２
2008009931.tif 000002
【特許請求の範囲】
【請求項１】
消費者端末からの依頼に応じて商品の履歴情報と商品に関連する商品関連情報を提供する商品情報提供システムであって、
商品に付されている履歴情報検索コードを提示した前記消費者端末からの履歴情報取得依頼に応じて、当該履歴情報検索コードを用いて商品の履歴情報を検索する履歴情報検索手段と、
検索した履歴情報を前記消費者端末に対して提供する履歴情報提供手段と、
前記消費者端末からの商品関連情報取得依頼に応じて、前記履歴情報取得依頼にて提示された履歴情報検索コードが示す商品に関連する商品関連情報の検索依頼を行う商品関連情報検索依頼手段と、
前記検索依頼に応じて商品関連情報を検索エンジンを用いて検索する商品関連情報検索手段と、
検索した商品関連情報を送信する商品関連情報送信手段と、
送信された商品関連情報を受信する商品関連情報受信手段と、
掲載する広告の表示形式を決定するとともに、当該広告の内容を選択する広告選択手段と、
受信した商品関連情報と選択した広告とを表示する表示領域を含む商品関連情報提供画面を作成し、前記消費者端末に対して提供する商品関連情報提供手段とを備えた
ことを特徴とする商品情報提供システム。
【請求項２】
受信した商品関連情報の中から提供する商品関連情報を選別する商品関連情報選別手段を備え、
商品関連情報提供手段は、選別された商品関連情報を消費者端末に対して提供する
請求項１記載の商品情報提供システム。
【請求項３】
商品関連情報選別手段は、あらかじめ定められた選別条件に従って、危険情報及び個人情報が含まれている可能性のある商品関連情報を除外することで、商品関連情報を選別する
請求項２記載の商品情報提供システム。
【請求項４】
消費者端末からの商品関連情報取得依頼に応じて、履歴情報取得依頼にて提示された履歴情報検索コードが示す商品に係る検索キーワードを決定する検索キーワード決定手段を備え、
商品関連情報検索依頼手段は、決定された検索キーワードを提示して商品関連情報の検索依頼を行う
請求項１から請求項３のうちいずれかに記載の商品情報提供システム。
【請求項５】
商品関連情報は、詳細情報が掲載されたウェブページにアクセスするためのＵＲＬが対応付けされた目次情報である
請求項１から請求項４のうちいずれかに記載の商品情報提供システム。
【請求項６】
広告選択手段は、広告掲載領域の大きさおよび形状に応じて、掲載する広告の表示形式を決定する
請求項１から請求項５のうちいずれかに記載の商品情報提供システム。
【請求項７】
広告の表示形式は、文字広告表示形式、静止画像広告表示形式、及び動画像広告表示形式のうち少なくとも２つを含む複数種類用意されている
請求項１から請求項６のうちいずれかに記載の商品情報提供システム。
【請求項８】
消費者端末からの依頼に応じて商品の履歴情報と商品に関連する商品関連情報を提供する商品情報提供サーバであって、
商品に付されている履歴情報検索コードを提示した前記消費者端末からの履歴情報取得依頼に応じて、当該履歴情報検索コードを用いて商品の履歴情報を検索する履歴情報検索手段と、
検索した履歴情報を前記消費者端末に対して提供する履歴情報提供手段と、
前記消費者端末からの商品関連情報取得依頼に応じて、前記履歴情報取得依頼にて提示された履歴情報検索コードが示す商品に関連する商品関連情報の検索依頼を行う商品関連情報検索依頼手段と、
前記検索依頼に応じて検索エンジンを用いて検索された商品関連情報を受信する商品関連情報受信手段と、
掲載する広告の表示形式を決定するとともに、当該広告の内容を選択する広告選択手段と、
受信した商品関連情報と選択した広告とを表示する表示領域を含む商品関連情報提供画面を作成し、前記消費者端末に対して提供する商品関連情報提供手段とを備えた
ことを特徴とする商品情報提供サーバ。
【請求項９】
受信した商品関連情報の中から提供する商品関連情報を選別する商品関連情報選別手段を備え、
商品関連情報提供手段は、選別された商品関連情報を消費者端末に対して提供する
請求項８記載の商品情報提供サーバ。
【請求項１０】
商品関連情報選別手段は、あらかじめ定められた選別条件に従って、危険情報及び個人情報が含まれている可能性のある商品関連情報を除外することで、商品関連情報を選別する
請求項９記載の商品情報提供サーバ。
【請求項１１】
消費者端末からの商品関連情報取得依頼に応じて、履歴情報取得依頼にて提示された履歴情報検索コードが示す商品に係る検索キーワードを決定する検索キーワード決定手段を備え、
商品関連情報検索依頼手段は、決定された検索キーワードを提示して商品関連情報の検索依頼を行う
請求項８から請求項１０のうちいずれかに記載の商品情報提供サーバ。
【請求項１２】
商品関連情報は、詳細情報が掲載されたウェブページにアクセスするためのＵＲＬが対応付けされた目次情報である
請求項８から請求項１１のうちいずれかに記載の商品情報提供サーバ。
【請求項１３】
広告選択手段は、広告掲載領域の大きさおよび形状に応じて、掲載する広告の表示形式を決定する
請求項８から請求項１２のうちいずれかに記載の商品情報提供サーバ。
【請求項１４】
広告の表示形式は、文字広告表示形式、静止画像広告表示形式、及び動画像広告表示形式のうち少なくとも２つを含む複数種類用意されている
請求項８から請求項１３のうちいずれかに記載の商品情報提供サーバ。
【請求項１５】
広告選択手段は、消費者端末によって過去に閲覧された広告を示す広告閲覧履歴情報にもとづいて広告の掲載順を特定し、該特定した掲載順に広告を選択して広告の内容を決定する
請求項８から請求項１４のうちいずれかに記載の商品情報提供サーバ。
【請求項１６】
広告選択手段は、各広告の過去の被閲覧状況を示す被閲覧履歴情報にもとづいて、決定した広告の掲載順を変更し、あるいは決定した表示形式を一部変更する
請求項８から請求項１５のうちいずれかに記載の商品情報提供サーバ。
【発明の詳細な説明】
【技術分野】
【０００１】
本発明は、トレーサビリティコードを検索キーとする商品の履歴照会依頼に応じて、商品の履歴情報とともに当該商品に関連する商品関連情報を提供する商品情報提供システム、商品情報提供サーバ、及び商品情報提供方法に関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
上述した特許文献１に記載された従来のシステムでは、商品の生産・流通履歴が提供されるが、商品（青果物、肉、鶏卵、加工食品、調味料、飲料など）に関連する情報（商品関連情報）をも提供することができれば、より有効にシステムを活用することが可能となる。
【０００６】
ところが、商品関連情報を提供するためには、あらかじめ検索用のデータベースに各商品に関連する様々な情報を登録しておかなければならず、システムの管理コストや管理負担が増大することになってしまうという問題があった。
【０００７】
本発明は、上述した問題を解消し、システムの管理コストや管理負担を増大させることなく、商品に関連する商品関連情報を提供することができる商品情報提供システム、商品情報提供サーバ、及び商品情報提供方法を提供することを目的とする。
【課題を解決するための手段】
【０００８】
本発明の商品情報提供システムは、消費者端末からの依頼に応じて商品の履歴情報と商品に関連する商品関連情報を提供する商品情報提供システムであって、商品に付されている履歴情報検索コードを提示した前記消費者端末からの履歴情報取得依頼に応じて、当該履歴情報検索コードを用いて商品の履歴情報を検索する履歴情報検索手段と、検索した履歴情報を前記消費者端末に対して提供する履歴情報提供手段と、前記消費者端末からの商品関連情報取得依頼に応じて、前記履歴情報取得依頼にて提示された履歴情報検索コードが示す商品に関連する商品関連情報の検索依頼を行う商品関連情報検索依頼手段と、前記検索依頼に応じて商品関連情報を検索エンジンを用いて検索する商品関連情報検索手段と、検索した商品関連情報を送信する商品関連情報送信手段と、送信された商品関連情報を受信する商品関連情報受信手段と、掲載する広告の表示形式を決定するとともに、当該広告の内容を選択する広告選択手段と、受信した商品関連情報と選択した広告とを表示する表示領域を含む商品関連情報提供画面を作成し、前記消費者端末に対して提供する商品関連情報提供手段とを備えたことを特徴とする。
【０００９】
上記のように構成したことで、トレーサビリティシステムを管理する管理者の管理コストや管理負担を増大させることなく、商品に関連する商品関連情報を提供することができ、さらに動的に変化する商品関連情報提供画面に適切な形式で広告を挿入することができるようになる。
【００１０】
受信した商品関連情報の中から提供する商品関連情報を選別する商品関連情報選別手段を備え、商品関連情報提供手段は、選別された商品関連情報を消費者端末に対して提供する構成とされていてもよい。
【００１１】
商品関連情報選別手段は、あらかじめ定められた選別条件に従って、危険情報及び個人情報が含まれている可能性のある商品関連情報を除外することで、商品関連情報を選別する構成とされていてもよい。
【００１２】
消費者端末からの商品関連情報取得依頼に応じて、履歴情報取得依頼にて提示された履歴情報検索コードが示す商品に係る検索キーワードを決定する検索キーワード決定手段を備え、商品関連情報検索依頼手段は、決定された検索キーワードを提示して商品関連情報の検索依頼を行う構成とされていてもよい。
【００１３】
商品関連情報は、例えば、詳細情報が掲載されたウェブページにアクセスするためのＵＲＬが対応付けされた目次情報である。
【００１４】
広告選択手段は、広告掲載領域の大きさおよび形状に応じて、掲載する広告の表示形式を決定する構成とされていてもよい。
【００１５】
広告の表示形式は、例えば、文字広告表示形式、静止画像広告表示形式、及び動画像広告表示形式のうち少なくとも２つを含む複数種類用意されている。
【００１６】
また、本発明の商品情報提供サーバは、消費者端末からの依頼に応じて商品の履歴情報と商品に関連する商品関連情報を提供する商品情報提供サーバであって、商品に付されている履歴情報検索コードを提示した前記消費者端末からの履歴情報取得依頼に応じて、当該履歴情報検索コードを用いて商品の履歴情報を検索する履歴情報検索手段と、検索した履歴情報を前記消費者端末に対して提供する履歴情報提供手段と、前記消費者端末からの商品関連情報取得依頼に応じて、前記履歴情報取得依頼にて提示された履歴情報検索コードが示す商品に関連する商品関連情報の検索依頼を行う商品関連情報検索依頼手段と、前記検索依頼に応じて検索エンジンを用いて検索された商品関連情報を受信する商品関連情報受信手段と、掲載する広告の表示形式を決定するとともに、当該広告の内容を選択する広告選択手段と、受信した商品関連情報と選択した広告とを表示する表示領域を含む商品関連情報提供画面を作成し、前記消費者端末に対して提供する商品関連情報提供手段とを備えたことを特徴とする。
【発明の効果】
【００１７】
本発明によれば、トレーサビリティシステムを管理する管理者の管理コストや管理負担を増大させることなく、商品に関連する商品関連情報を提供することができ、さらに動的に変化する商品関連情報提供画面に適切な形式で広告を挿入することができる。
【発明を実施するための最良の形態】
【００１８】
以下、本発明の一実施の形態について図面を参照して説明する。
図１は、本発明の一実施の形態における商品情報提供システム１００の構成の例を示すブロック図である。図１に示すように、商品情報提供システム１００は、商品情報提供サーバ１０と、検索処理サーバ２０と、消費者端末３０とを含む。
【００１９】
商品情報提供サーバ１０、および検索処理サーバ２０は、それぞれ、例えばインターネットなどの通信ネットワーク４０に接続されている。また、商品情報提供サーバ１０、および検索処理サーバ２０は、それぞれ、ＷＷＷサーバなどの情報処理装置によって構成される。
【００２０】
商品情報提供サーバ１０は、例えば商品情報提供システム１００のシステム管理者によって管理される本部サーバであり、トレーサビリティシステムにおける履歴情報の提供処理などの各種の処理を実行する。
【００２１】
商品情報提供サーバ１０は、各商品の履歴を示す商品履歴情報を格納する商品履歴情報ＤＢ１１を備えている。商品履歴情報は、商品の生産履歴や流通履歴を示す情報であって、例えば、商品分類、商品名、商品の生産者・製造者・販売元、商品の販売者・販売店、商品の生産日・製造日、商品の生産地・製造地などの各種の情報を含む。なお、商品履歴情報ＤＢ１１は、商品情報提供サーバ１０の内部にあっても外部にあってもよい。
【００２２】
検索処理サーバ２０は、例えば検索エンジンを利用可能なポータルサイトを運営するポータルサイト運営業者によって管理されるサーバ装置であり、検索エンジンによる検索処理に必要な検索情報を格納する検索情報ＤＢ２１を備えている。検索情報には、検索キーワードにもとづき検索エンジンによって検索され得るウェブサイト情報や辞書情報、及び検索の際に参照される各サイトの閲覧数などの各種の情報を含む。本例では、検索処理サーバ２０によって検索され得る情報の少なくとも一部が、商品関連情報として利用される。すなわち、例えば検索情報の一部が、商品関連情報として利用される。商品関連情報は、商品に関連する各種の情報であって、例えば、その商品を使用したメニューのレシピや、その商品に関連した各種の広告、あるいはそのレシピや広告が掲載されているサイトにアクセスするための情報（具体的には、例えばＵＲＬ）などを含む。なお、検索情報ＤＢ２１は、検索処理サーバ２０の内部にあっても外部にあってもよい。
【００２３】
消費者端末３０は、例えばパーソナルコンピュータや携帯情報端末などの情報処理装置によって構成され、通信ネットワーク４０に接続するためのソフトウェア及びハードウェアを含む環境を備えているものとする。
【００２４】
次に、本例の商品情報提供システム１００の動作について説明する。
ここでは、商品Ｘを購入した消費者Ｙが、消費者端末３０を利用して商品Ｘの履歴照会を行う場合を例に説明することとし、本発明に特に関わる処理以外は、説明を省略している場合があるものとする。
【００２５】
図２は、本例の商品情報提供システム１００における商品情報（商品履歴情報、商品関連情報）提供処理の例を示すフローチャートである。商品情報提供処理において、先ず、消費者端末３０は、消費者Ｙの操作に応じて商品情報提供サーバ１０にアクセスする（ステップＳ１０１）。
【００２６】
ステップＳ１０１では、例えば、商品Ｘを購入した店舗に付与されているＵＲＬ（Uniform Resource Locator）によりアクセスされる。なお、商品Ｘを製造している製造元などの他の組織や団体に付与されているＵＲＬによりアクセスされるようにしてもよい。
【００２７】
消費者端末３０からのアクセスがあると、商品情報提供サーバ１０は、商品に付与されているトレーサビリティコード（商品コード）を入力するためのコード入力画面を生成し、消費者端末３０に送信する（ステップＳ１０２）。
【００２８】
消費者端末３０は、商品情報提供サーバ１０からのコード入力画面を、自己が備える表示装置に表示する（ステップＳ１０３）。コード入力画面には、例えば図３に示すように、例えば店舗の名称などが表示された表示領域、トレーサビリティコードを入力するためのコード入力領域、コード入力領域に入力したトレーサビリティコードにより商品履歴情報の検索を行う際に押下される検索ボタンなどが設けられている。
【００２９】
コード入力画面が表示されると、消費者Ｙは、消費者端末３０が備えるキーボードなどの入力装置を操作して、商品Ｘに付与されているトレーサビリティコードをコード入力領域に入力する。
【００３０】
そして、消費者端末３０は、検索ボタンの押下を受け付けると、消費者Ｙによって入力された商品Ｘのトレーサビリティコードを商品情報提供サーバ１０に送信する（ステップＳ１０４）。
【００３１】
トレーサビリティコードを受信すると、商品情報提供サーバ１０は、商品履歴情報ＤＢ１１に格納されている商品履歴情報を参照し、受信したトレーサビリティコードを用いて、商品Ｘの商品履歴情報を検索する（ステップＳ１０５）。具体的には、商品履歴情報ＤＢ１１に格納されている商品履歴情報の中から、トレーサビリティコード（商品コード）に対応付けされている商品履歴情報を抽出する。
【００３２】
商品Ｘの商品履歴情報を検索すると、商品情報提供サーバ１０は、検索した商品履歴情報を閲覧させるとともに、検索した商品関連情報コードが示す商品Ｘの商品関連情報の閲覧を希望するか否かを選択させるための商品履歴情報閲覧画面を生成し、消費者端末３０に送信する（ステップＳ１０６）。
【００３３】
消費者端末３０は、商品情報提供サーバ１０からの商品履歴情報閲覧画面を、自己が備える表示装置に表示する（ステップＳ１０７）。商品履歴情報閲覧画面には、例えば図４に示すように、商品Ｘの商品履歴情報が表示された表示領域や、商品Ｘに係る商品関連情報の閲覧を希望するか否かを選択するための商品関連情報閲覧ボタン（「閲覧する」と表示されているボタン）及び商品関連情報非閲覧ボタン（「閲覧しない」と表示されているボタン）を表示する領域などが設けられている。すなわち、本例では、商品履歴情報閲覧画面は、商品Ｘに係る商品関連情報の閲覧を希望するか否かを選択させるための商品関連情報閲覧希望選択画面でもある。
【００３４】
商品履歴情報閲覧画面が表示されると、消費者Ｙは、商品履歴情報閲覧画面に表示されている商品履歴情報を閲覧するとともに、消費者端末３０に備えられている入力装置を操作して商品関連情報閲覧ボタンまたは商品関連情報非閲覧ボタンを押下する。この場合、商品Ｘに係る商品関連情報の閲覧を希望する場合には商品関連情報閲覧ボタンを押下し、商品Ｘに係る商品関連情報の閲覧を希望しない場合には商品関連情報非閲覧ボタンを押下する。ここでは、商品関連情報閲覧ボタンが押下されたものとする。なお、商品関連情報非閲覧ボタンが押下された場合には、その旨が商品情報提供サーバ１０に通知されたあと、ここでの処理が終了する。
【００３５】
商品関連情報閲覧ボタンが押下されると、消費者端末３０は、商品情報提供サーバ１０に対して、商品Ｘに係る商品関連情報の提供要求を行う（ステップＳ１０８）。
【００３６】
商品関連情報の提供要求を受けると、商品情報提供サーバ１０は、検索キーワードを決定する（ステップＳ１０９）。本例では、商品情報提供サーバ１０は、検索対象の商品である商品Ｘの名称や、商品Ｘに関係する関連ワードを抽出して、抽出したワードを検索キーワードとすることに決定する。この場合、商品履歴情報ＤＢ１１に格納されている検索キーワード決定用テーブルを用いて、受信した商品Ｘに係るトレーサビリティコードに対応付けされている商品名や関連ワードを抽出する。すなわち、検索キーワード決定用テーブルは、トレーサビリティコードと、そのトレーサビリティコードが示す商品についての検索キーワードとが対応付けされたテーブルである。なお、検索対象の商品である商品Ｘの履歴情報を検索キーワードに含めるようにしてもよい。
【００３７】
ステップＳ１０９では、例えば商品Ｘが豚肉であったとすると、例えば、その豚肉の商品名、その豚肉が含まれている料理メニュー、その豚肉を取り扱っている販売店名や飲食店名、その豚肉の生産地、その豚肉の生産者などの関連ワードのうち一部又は全部が検索キーワードとして抽出される。
【００３８】
検索キーワードを決定すると、商品情報提供サーバ１０は、決定した検索キーワードを提示して、検索処理サーバ２０に対して商品関連情報の提供要求を行う（ステップＳ１１０）。
【００３９】
次いで、検索処理サーバ２０は、商品関連情報の提供要求に応じて、提示された検索キーワードを設定し、自己に搭載されている検索エンジンを用いて商品関連情報を検索する（ステップＳ１１１）。具体的には、検索情報ＤＢ２１に格納されている検索情報の中から提示された検索キーワードに基づき検索エンジンを用いて検索した情報を、商品関連情報として抽出する。ここでの検索処理は、いわゆるアンド検索であってもオア検索であってもよい。その後、検索処理サーバ２０は、検索した商品関連情報を商品情報提供サーバ１０に対して送信する（ステップＳ１１２）。なお、検索処理サーバ２０が、ステップＳ１１２にて、検索した商品関連情報を消費者端末３０に直接送信し、その旨を商品情報提供サーバ１０に通知するようにしてもよい。この場合、後述するステップＳ１１６で送信される画面には商品関連情報は含まれず、広告のみを送ることとし、消費者端末３０側で商品関連情報と広告とを含む商品関連情報提供画面が作成されるようにすればよい。
【００４０】
検索処理サーバ２０からの商品関連情報を受信すると、商品情報提供サーバ１０は、受信した商品関連情報を、提示する情報と提示しない情報とに選別する（ステップＳ１１３）。ここでは、例えば、農薬などの所定の薬物の入手方法は調合方法や、あるいは特定の個人に関する個人情報などのあらかじめ定められた特定の情報が提示情報から除外されるように選別する。この選別は、例えば、「所定の薬物＋生産」や「人名＋電話番号」などのキーワードをあらかじめ設定しておき、このキーワードを含む情報を除外することで行われる。このように、本例では、ステップＳ１１３にて、消費者Ｙに提示する情報を選別するためのフィルタ処理を実行する。
【００４１】
次に、商品情報提供サーバ１０は、提示するものとして選別した商品関連情報を提示するとともに、空いているスペースに広告を掲載させるための商品関連情報提供画面を生成する（ステップＳ１１４）。すなわち、ステップＳ１１４では、商品情報提供サーバ１０は、提示するものとして選別した商品関連情報の提示形態（表示領域及び表示位置といった表示形態）を決定するとともに、広告の掲載領域を決定し、広告掲載用の領域を含む商品関連情報提供画面を生成する。
【００４２】
次に、商品情報提供サーバ１０は、決定した広告掲載領域の大きさおよび形状に応じて、あらかじめ用意された複数種類の表示形式の中から掲載する広告の表示形式を決定するとともに、自己が備える図示しない広告情報ＤＢに格納されている複数の広告情報の中から掲載する広告を決定し、掲載する広告を商品関連情報提供画面の広告掲載領域に貼り付ける（ステップＳ１１５）。また、商品情報提供サーバ１０は、広告の掲載履歴を残すために、広告掲載領域に貼り付けた広告を特定可能な情報を広告情報ＤＢに記憶しておく。
【００４３】
なお、広告の表示形式は、例えば、文字広告を表示するための文字広告表示形式、写真や図形などの静止画広告を表示するための静止画像広告表示形式、動画広告を表示するための動画像広告表示形式などがあらかじめ用意されている。そして、例えば商品情報提供サーバ１０が備える図示しない広告情報ＤＢに、広告掲載領域の大きさ及び形状の範囲毎に各表示形式が対応付けされた表示形式決定用テーブルが格納されているものとする。この表示形式決定用テーブルは、例えば、広告掲載領域の大きさ（面積）が所定値以上で広告掲載領域の形状の縦横比の差が所定範囲内であれば動画像広告表示形式が選択され、広告掲載領域の大きさが所定値以下であるか広告掲載領域の形状の縦横比の差が所定範囲内にない場合には文字広告表示形式が選択され、その他の場合には静止画像広告表示形式が選択されるように設定される。
【００４４】
そして、商品情報提供サーバ１０は、ステップＳ１１４にて生成し、ステップＳ１１５にて広告が貼り付けられた商品関連情報提供画面を、消費者端末３０に対して送信する（ステップＳ１１６）。
【００４５】
消費者端末３０は、商品情報提供サーバ１０からの商品関連情報提供画面を、自己が備える表示装置に表示する（ステップＳ１１７）。商品関連情報提供画面には、例えば図５に示すように、検索処理サーバ２０から取得したあと選別した商品Ｘの商品関連情報が表示される表示領域や、検索された商品関連情報の総数を表示するヒット総数表示領域、広告が掲載される広告掲載領域、次の５件の商品関連情報の表示ページに移行する際に押下される「次の５件」ボタン、前の５件の商品関連情報の表示ページに移行する際に押下される「前の５件」ボタン、前画面に戻る際に押下される「戻る」ボタン、画面の表示を終了してここでの処理を完了させる際に押下される「終了」ボタンなどが設けられている。この商品関連情報提供画面は、例えば、例えばポータルサイトにおいて情報検索したときの検索結果画面と同様の情報が同様のレイアウトにて表示される画面である。
【００４６】
消費者Ｙは、「次の５件」ボタンや「前の５件」ボタンを押下し、詳細を閲覧する商品関連情報を探索する。そして、消費者Ｙは、商品関連情報提供画面に表示された商品関連情報を選択（例えばマウスクリック）し、その商品関連情報を公開しているウェブページを消費者端末３０の表示装置に表示させることによって、商品Ｘの商品関連情報を閲覧する。すなわち、消費者端末３０は、商品関連情報のいずれかが選択されると（ステップＳ１１８のＹ）、その商品関連情報にリンクされたウェブページにアクセスし、そのウェブページを表示する。
【００４７】
なお、商品関連情報提供画面に表示された商品関連情報は目次情報であり、商品関連情報の詳細はリンク先のウェブページに掲載されている。本例では、目次情報と詳細情報の双方について、単に商品関連情報というようにしている。
【００４８】
本例では、目次情報としての商品関連情報を５件ずつ表示するようにしているが、何件ずつ表示するようにしてもよい。
【００４９】
そして、「終了」ボタンが押下されると（ステップＳ１１９のＹ）、消費者端末３０は、ここでの処理を終了する。このとき、商品情報提供サーバ１０に対して商品関連情報の閲覧処理の完了を指示するための閲覧終了通知を行うようにしてもよい。
【００５０】
以上に説明したように、上述した一実施の形態では、商品情報提供サーバ１０が、商品に付されているトレーサビリティコードを提示した消費者端末３０からの履歴情報の取得依頼に応じて、そのトレーサビリティコードを用いて商品の履歴情報を検索し、検索した履歴情報を消費者端末３０に対して提供し、消費者端末３０からの商品関連情報の取得依頼に応じて、提示されたトレーサビリティコードが示す商品に関連する商品関連情報の検索依頼を検索処理サーバ２０に対して行い、その検索依頼に応じて検索エンジンを用いて検索された商品関連情報を受信し、掲載する広告の表示形式を決定するとともに、当該広告の内容を選択して、受信した商品関連情報と選択した広告とを表示する表示領域を含む商品関連情報提供画面を作成し、消費者端末３０に対して提供する構成としたことで、トレーサビリティシステムを管理する管理者の管理コストや管理負担を増大させることなく、商品に関連する商品関連情報を提供することができ、さらに動的に変化する商品関連情報提供画面に適切な形式で広告を挿入することができるようになる。
【００５１】
すなわち、商品関連情報の検索を既存の検索処理サーバ２０に依頼することで、トレーサビリティシステム（具体的には商品情報提供サーバ１０）を管理する管理者は、商品関連情報の収集や管理を行う必要がなく、さらに商品関連情報の蓄積や管理のための設備構築やメンテナンスなどに関するコスト負担を負うことなく、商品に関連する商品関連情報を消費者に提供することが可能となる。特に、検索依頼先の検索処理サーバ２０が膨大な情報を検索対象としており、高性能の検索エンジンを搭載していた場合には、そのような膨大な情報の管理を自己で行うことなく、また高性能の検索エンジンを自己で備えることなく、膨大な情報の中から迅速かつ的確に商品関連情報を抽出して提供することが可能となる。さらに、商品関連情報の検索を既存の検索処理サーバ２０に依頼することで、商品関連情報の検索のためのトラフィックを自己で確保することなく、商品に関連する商品関連情報を消費者に提供することが可能となる。
【００５２】
また、商品関連情報提供画面における広告掲載領域の大きさや形状に応じて掲載する広告の表示形式を決定するようにしているので、動的に変化する商品関連情報提供画面に最適な形式で、広告を掲載することが可能となる。
【００５３】
また、上述した実施の形態では、検索処理サーバ２０から受信した商品関連情報の中から消費者に提供する商品関連情報を選別し、選別した商品関連情報を消費者端末３０に提供する構成としているので、適切な情報のみを消費者に提供することが可能となる。
【００５４】
また、上述した実施の形態では、あらかじめ定められた選別条件に従って、薬物の生産情報などについての危険情報や、特定の個人に関する個人情報が含まれている可能性のある商品関連情報を除外することで商品関連情報を選別する構成としているので、商品の消費者に対して提供する情報として不適切な情報を除外することができ、適切な情報のみを消費者に提供することが可能となる。
【００５５】
また、上述した実施の形態では、消費者端末３０からの商品関連情報の取得依頼に応じて、履歴情報の取得依頼にて提示されたトレーサビリティコードが示す商品に係る検索キーワードを決定し、決定して検索キーワードを提示して商品関連情報の検索依頼を行う構成としているので、商品名だけでなく、商品に関連する各種の関連ワードを用いて検索された商品関連情報を提供することが可能となる。
【００５６】
また、上述した実施の形態では、商品情報提供サーバ１０が消費者端末３０に対して提供する商品関連情報として、詳細情報が掲載されたウェブページにアクセスするためのＵＲＬが対応付けされた目次情報を用いる構成としているので、詳細情報の閲覧をするか否かを消費者に選択させることができ、膨大な数の商品関連情報を提供することができる。
【００５７】
なお、上述した一実施の形態では、商品関連情報として、該当する商品を使用したメニューのレシピなどの詳細情報が掲載されているウェブページへのリンク情報を例に挙げていたが、その詳細情報が掲載されえいるウェブページに自動的に遷移させるようにして、商品関連情報として詳細情報を提供するようにしてもよい。この場合、商品関連情報として、検索されたウェブページの内容（文書、画像、動画などの各種の情報）が消費者端末３０に表示される。なお、商品関連情報に、広告情報が含まれていてもよいことはもちろんである。
【００５８】
また、上述した一実施の形態では特に言及していないが、商品情報提供サーバ１０が、消費者端末３０によって過去に閲覧された広告を示す広告閲覧履歴情報にもとづいて広告の掲載順を特定し、特定した掲載順に広告を選択して広告の内容を決定するようにしてもよい。この場合、例えば、商品情報提供サーバ１０が、各消費者端末（各ユーザ）毎の広告閲覧履歴を示す広告閲覧履歴情報を図示しない広告情報ＤＢに蓄積しておくようにすればよい。このように構成すれば、同じユーザに同じ広告が提示されないようにしたり、過去に閲覧した広告に関連する広告を提示するようにしたりすることができる。
【００５９】
また、上述した一実施の形態では特に言及していないが、商品情報提供サーバ１０が、各広告の過去の被閲覧状況を示す被閲覧履歴情報にもとづいて、決定した広告の掲載順を変更し、あるいは決定した表示形式を一部変更するようにしてもよい。この場合、例えば、商品情報提供サーバ１０が、各広告の過去の被閲覧状況を示す被閲覧履歴情報を図示しない広告情報ＤＢに蓄積しておくようにすればよい。このように構成すれば、被閲覧頻度の高い広告を優先的に上位に掲載したり、逆に被閲覧頻度の低い広告を優先的に上位に掲載したり、同種の広告の中で被閲覧頻度の高い表示形式の広告が掲載されるように表示形式の一部を変更したりすることができる。
【００６０】
また。上述した実施の形態では、商品情報提供サーバ１０と、検索処理サーバ２０とを別個のサーバとしていたが、商品情報提供サーバ１０と検索処理サーバ２０とが１つのサーバ装置によって構成されていてもよい。
【産業上の利用可能性】
【００６１】
本発明によれば、トレーサビリティシステムを管理する管理者の管理コストや管理負担を増大させることなく、商品に関連する商品関連情報を提供可能とし、さらに動的に変化する商品関連情報提供画面に適切な形式で広告を挿入するのに有用である。
【図面の簡単な説明】
【００６２】
【図１】本発明の一実施の形態における商品情報提供システムの構成の例を示すブロック図である。
【図２】商品情報提供処理の例を示すフローチャートである。
【図３】コード入力画面の例を示す説明図である。
【図４】商品履歴情報閲覧画面の例を示す説明図である。
【図５】商品関連情報提供画面の例を示す説明図である。
【符号の説明】
【００６３】
１０        商品情報提供サーバ
１１        商品履歴情報ＤＢ
２０        検索処理サーバ
２１        検索情報ＤＢ
３０        ユーザ端末
１００      商品情報提供システム
【図１】
2008009931.tif 000003
【図２】
2008009931.tif 000004
【図３】
2008009931.tif 000005
【図４】
2008009931.tif 000006
【図５】
2008009931.tif 000007